(57)【特許請求の範囲】
【請求項１】
第１無線通信システムの加入者を第２無線通信システムへ移行するための方法であって、該方法が、
加入者データベースに第１加入者情報を作成するステップであり、前記加入者情報は前記加入者による前記第1無線通信システムへの加入に関連する情報を含むものであるステップと、
前記加入者へ加入者コードを割り当てるステップと、
前記第２無線通信システム上の無線装置を起動させるための要求を前記加入者から受信するステップであり、前記無線装置は前記無線装置の特性を示す無線装置情報を保存しているステップと、
前記加入者コードを前記無線装置に入力するよう加入者に促すステップと、
前記無線装置から前記加入者コードと前記無線装置情報とを受信するステップと、
前記第１加入者情報と前記無線装置情報に基づいて第２加入者情報を生成するステップであり、前記第２加入者情報は前記加入者による前記第2無線通信システムへの加入に関連するものであるステップとを、
含む方法。
【請求項２】
前記第１加入者情報が、移動体識別番号、国際移動体加入者番号、電話番号及び電子通し番号のうちの少なくとも１つを含む、
請求項１に記載の方法。
【請求項３】
前記第1加入者情報が、
前記第１無線通信システムへの加入に関する課金情報を含む、
請求項１に記載の方法。
【請求項４】
前記加入者に加入者コードを割り当てるステップが、
前記加入者に電話番号を割り当てるステップを含む、
請求項１に記載の方法。
【請求項５】
前記無線装置から前記加入者コードと前記無線装置情報とを受信するステップが、前記加入者コード及び電子通し番号、移動体識別番号、及び国際移動体加入者番号のうちの少なくとも１つを含む、
請求項1に記載の方法。
【請求項６】
前記加入者コードを入力することを加入者に促すステップが、
サービス起動番号を前記加入者に提供するステップと、
前記加入者から前記サービス起動番号の呼を受信するステップと、
前記加入者に前記加入者コードを入力するように指示するように、自動化起動プロセスを開始するステップとを含む、
請求項１に記載の方法。
【請求項７】
前記第２加入者情報の少なくとも一部を、ホームロケーションレジスタ、認証センタ、中央データベース又は前記第２無線通信システム内に分配されるデータベースのうちの少なくとも１つへと送信するステップとをさらに含む、
請求項１に記載の方法。
【請求項８】
前記第２加入者情報の少なくとも一部によって前記無線装置をプログラムするステップをさらに含む、
請求項１に記載の方法。
【請求項９】
前記第２加入者情報の少なくとも一部によって前記無線装置をプログラムするステップが、空間伝播プログラミングプロトコルを用いて前記無線装置をプログラムすることを含む、
請求項１に記載の方法。
【発明の詳細な説明】
【０００１】
【発明の属する技術分野】
本発明は無線通信に関し、特に、第１無線通信システムの既加入者を第２無線通信システムへ移行するシステムに関する。
【０００２】
【従来の技術】
図１は地域１４と１６とに位置している幾つかの無線装置、例えば無線装置１２ａ乃至１２ｃへ無線通信サービスを提供する無線通信システム１０の摸式図を示している。移動体通信交換センタ（Mobile Switching Center；ＭＳＣ）、例えばホームＭＳＣ２０やビジターＭＳＣ（visitor MSC）２４はとりわけ無線装置間の呼及び無線装置と有線装置、例えば、有線装置２５との間の呼を確立し維持する役割りを果たしている。そのようにしてＭＳＣはその地域内の無線装置を公衆交換電話網（public switched telephone network；ＰＳＴＮ）２８と相互接続する。ＭＳＣによるサービスを受けている地域は「セル」と呼ばれる空間的に区分された領域に分割されている。図１に示されるように、各セルは蜂の巣状パターンの中の１つの六角形によって摸式的に表されているが、実際には各セルはそのセルを取り囲んでいる地帯の地形に依存する不規則な形状を有する。代表的には、各セルは基地局、例えば基地局２２ａ乃至２２ｅや基地局２６ａ乃至２６ｅを包含し、各基地局はそのセル内の無線装置と通信するために使用する無線装置及びアンテナを具備する。それら基地局はまたその地域内のＭＳＣと通信するために使用する送信装置を具備する。例えば、ホームＭＳＣ２０は地域１４内の基地局２２ａ乃至２２ｅに接続され、ビジターＭＳＣ２４は地域１６内の基地局２６ａ乃至２６ｅに接続されている。或る地域では、ＭＳＣは無線装置がセル間で移動するとき、呼ハンド・オフ（call hand off）と呼ばれる、呼を基地局間でリアル・タイムで交換する動作を行う。
【０００３】
ホームＭＳＣ２０及びビジターＭＳＣ２４は、他の地域内でローミングしている無線装置に対してロケーション検証及び呼配送を行うため、それぞれの地域１４及び１６内の無線装置に関する情報の交換を可能にする信号通信網３２を使用する。例えば、無線装置１２ａが当初割り当てられていたホームＭＳＣ２０、例えばホームＭＳＣの地域１４から出て行くとき、無線装置１２ａはローミング中になる。ローミング中の無線装置が呼を確実に受信出来るようにするため、ローミング中の無線装置１２ａはそれが現在存在しているＭＳＣ、例えばビジターＭＳＣ２４に、そのビジターＭＳＣ２４へその存在を知らせることによって登録する。一旦、ローミング中の無線装置１２ａがビジターＭＳＣ２４によって識別されると、ビジターＭＳＣ２４は登録要求を信号通信網３２を通じてホームＭＳＣ２０へ送出し、ホームＭＳＣ２０はホーム・ロケーション・レジスタ（home location register；ＨＬＲ）と呼ばれるデータベース３４のビジターＭＳＣ２４の識別コードを更新し、それにより、ローミング中の無線装置１２ａのロケーションをホームＭＳＣ２０へ提供する。
【０００４】
ＨＬＲ３４はホームＭＳＣ２０の地域１４内に存在する全ての無線装置の加入者情報及びロケーション情報を包含する。ＨＬＲ３４は無線装置の各々に対する移動体識別番号（mobile identification number；ＭＩＮ）又は国際移動体加入者識別番号（International Mobile Subscriber Identification Number；ＩＭＳＩ）、移動体電話番号（mobile directory number；ＭＤＮ）及び電子通し番号（electronic serial number；ＥＳＮ）或いはそれらの何れかを含む。認証センタ（authentication center；ＡＣ）３５は無線装置をその無線装置のＭＩＮ又はＩＭＳＩとＥＳＮ及びＨＬＲ３４に保存されているデータを利用して認証する。ローミング中の無線装置が認証された後、ホームＭＳＣ２０はビジターＭＳＣ２４に、通話中着信通知（call waiting）、発呼者識別コード（caller id）、呼転送（call forwarding）、３者間通話（three-way calling）及び国際ダイヤル呼出しアクセス（international dialing access）のような、ローミング中の無線装置に利用出来るフィーチャを示す顧客プロファイルを提供する。ビジターＭＳＣ２４は、顧客プロファイルを受け取ると、ビジター・ロケーション・レジスタ（visitor location register；ＶＬＲ）と呼ばれるデータベース３６を更新しホームＭＳＣ２０と同じフィーチャを提供する。上記ＨＬＲ、ＶＬＲ及び／又はＡＣはＭＳＣと一緒に置かれるか或いは遠隔アクセスされるようにすることが出来る。
【０００５】
無線装置が無線通信システム１０内で採る通信方法を決定する無線セルラ通信システムには様々な無線標準或いはその無線アーキテクチャのバリエーションが存在する。それら様々な無線標準には時分割多重アクセス（code division multiple access；ＣＤＭＡ）、アドバンスト・モービル・フォン・システム（Advanced Mobile Phone System；ＡＭＰＳ）、グローバル・システム・モービル（Global System Mobile；ＧＳＭ）、ノース・アメリカン時分割多重アクセス（North American ＴＤＭＡ）、トータル・アクセス・セルラ・スステム（Total Access Cellular System；ＴＡＣＳ）、ユーロピアン・トータル・アクセス・セルラ・スステム（European Total Access Cellular System；ＥＴＡＣＳ）及びその他を使用する無線通信システムが含まれる。これらの無線セルラ通信システムはＡＭＰＳのような周波数変調（ＦＭ）音声技術をベースとする第１世代アナログ・システムから、ＣＤＭＡ、ＴＤＭＡ及びＧＳＭをベースとする無線セルラ通信システムのような第２世代デジタル・システムへ進化を遂げている。第１世代アナログ・システムはcapacityに限界が有った。第２世代デジタル・システムは向上した容量及びサービス能力を提供する。例えば、第２世代デジタル・システムは、国内ベース及び国際ベースのシームレス・ローミング、呼配送及び呼ハンド・オフ・サービスを提供するようにネットワーク接続されている。第２世代デジタル・システムから、音声及びデータ・ネットワークへの改善されたアクセスを提供する第３世代無線セルラ通信システムが進化している。ＣＤＭＡのような幾つかの無線標準が第３世代無線セルラ通信システムを実行するのに十分に適合していることが認められている。
【０００６】
この発展しつつある無線通信システムの環境では、無線サービス・プロバイダは該サービス・プロバイダの無線通信システムをＣＤＭＡのような、第３世代無線セルラ通信システムの実行をもっと簡単にサポートする別の標準に変更又は移行することが可能である。そのようにするために、サービス・プロバイダは代表的には既加入者に量販店かアウトレット・ストアへ行って新しい無線通信システムに適する新しい無線装置を選択するように要請する。既加入者は新しい無線装置を選択した後、その新しい無線装置を使用して顧客登録サービス・センタ３８へ電話を掛けてその新しい無線装置を起動し、且つ電話番号（ＤＮ）及び／又は新しいＩＭＳＩを取得する。顧客登録サービス・センタ３８のオペレータは、既加入者が欲する課金情報及びフィーチャ又はサービスのような加入者情報を要請する。オペレータは新加入者情報を顧客登録サービス・センタ３８内のデータベースに入力し、顧客登録サービス・センタ３８は新しい無線装置にＤＮ及び／又は新しいＩＭＳＩを付与する。新しい無線装置は既にＥＳＮ及び仮の国際移動体加入者識別（International Mobile Subscriber Identification；ＩＭＳＩ）番号を所持している。空間伝播サービス供与プロセス（over the air service provisioning process；ＯＴＡＳＰ）により、ＤＮ及び／又はＩＭＳＩが新しい無線装置にプログラムされることを可能にする空間伝播機能（over the air function；ＯＴＡＦ）４０を使用して、ＤＮ及び／又はＩＭＳＩが新しい無線装置にプログラムされる。起動処理は、顧客登録サービス・センタ３８における新加入者情報と共にＤＮ、ＩＭＳＩ、課金情報及び／又はサービスをホームＭＳＣ２０のＨＬＲ３４へ提供する。一旦ホームＭＳＣ２０がそのＨＬＲ３４に加入者情報又は顧客プロファイルを取り込むと、新しい無線装置が起動される。
【０００７】
ＯＴＡＳＰプロセスは新規加入者のために設計されているものであって、無線での加入手続きを起動するのに約２０乃至２５分掛かる。もしサービス・プロバイダが全ての既加入者に対して現在の送受話器を新しい無線標準をサポートする新しい送受話器へ交換するように通知した場合は、以前の無線通信システムから新しい無線標準を使用する新しい無線通信システムへの既加入者の移行を取り扱うのに必要なオペレータの人数を予想することは困難である。そのような事情から、加入者はオペレータがその呼に応答し加入者の新しい無線装置に対して起動手順を処理するまでに極めて長時間、待機することを要求される可能性が有る。更に、移行期間中、サービス・プロバイダは、例えば職員及び訓練の増加によるコスト増に曝されるようになり、既加入者を失望させる恐れが有る。従って、顧客移行システムは第１無線通信システムに対する既加入者の第２無線通信システムへの移行に関連する問題を低減することを要求される。
【０００８】
【課題を解決するための手段】
本発明は第２無線通信システムへ移行されるべき第１無線通信システムの既加入者に対する少なくとも１つのコードを決定する加入者移行システムに関わる。既加入者が第２無線通信システムで使用されるべき無線装置を取得するとき、加入者移行システムは既加入者へ提供された上記少なくとも１つのコードを使用して第１無線通信システムからの既加入者情報を第２無線通信システムに対する無線装置と関連する情報とリンクさせ、それによって移行処理の能率を改善する。例えば、もしサービス・プロバイダがＧＳＭからＣＤＭＡへの切り換えを行おうとする場合、そのサービス・プロバイダは既ＧＳＭ加入者に対するコードの如き、秘匿コード及び電話番号（ＤＮ）のような識別番号を提供することが出来る。加入者はＣＤＭＡ無線装置を取得し、ＣＤＭＡ無線装置を起動する起動処理を開始する。起動処理の一部として、加入者は秘匿コード及び識別番号を加入者移行システムへ提供する。加入者移行システムは秘匿コード及び識別番号が既ＧＳＭ加入者へ提供された秘匿コード及び識別番号と一致するかどうかを判定する。もし一致すれば、ＣＤＭＡ無線装置の特性である、ＥＳＮ、ＤＮ及び／又はＩＭＳＩのような情報が、課金情報及び／又はフィーチャ或いはサービスのような、少なくとも一部の既ＧＳＭ加入者情報と関連付けられる。そのようにして、加入者移行システムは既加入者情報を使用して既加入者を第２無線標準に基づく無線通信システムへ移行するのに必要な時間を削減する。
【０００９】
【発明の実施の形態】
特に図１を参照して、無線サービス・プロバイダが第１無線通信システム１０ａの既加入者を第２無線通信システム１０ｂへ移行する例を説明する。本実施例では、第１無線通信システム１０ａは第２無線通信システム１０ｂと同じ地域１４及び／又は１６に対する有効なサービスを提供することが出来る。第１無線通信システム１０ａはＧＳＭのような第１無線標準に依拠し、第２無線通信システム１０ｂはＣＤＭＡのような第２無線標準に依拠している。第１無線通信システム１０ａは代表的には第２無線通信システム１０ｂのアーキテクチャと似たアーキテクチャを持つ。第１無線通信システム１０ａが第２無線通信システム１０ｂへ移行しているとき、第１無線通信システム１０ａに対する既加入者情報を第２無線通信システム１０ｂ内のロケーションと符合するロケーション及び／又は異なるロケーションに保存することが出来る。サービス・プロバイダは、既加入者が第２無線通信システム１０ｂへ移行される際に第２無線通信システム１０ｂが使用することが出来るフォーマットへ移行するため、既加入者情報を加入者移行システムへ提供する。
【００１０】
或いは、サービス・プロバイダが無線通信システム１０に対する第２無線通信システム１０ｂへの移行を行っている間、無線通信システム１０の一部が第１無線通信システム１０ａを使用し、その他の部分が第２無線通信システム１０ｂを使用することが出来る。更に、無線通信システム１０では、地域１４及び／又は１６は上記同じか又は別のサービス・プロバイダによって制御することが出来る。更に、無線通信システム１０は無線通信システム１０の地域によって第１無線通信システム１０ａから第２無線通信システム１０ｂへ移行されることが可能である。第１無線通信システム１０ａを第２無線通信システム１０ｂに移行する方法には、第２無線通信システム１０ｂ及び／又は結果的に第２無線通信システム１０ｂへの移行が可能な別の無線通信基盤を使用する他の実施例が可能である。
【００１１】
図２a及び図２bに示されるように、第１無線通信システム１０ａの既加入者を第２無線通信システム１０ｂへ移行するため、サービス・プロバイダは課金情報及び／又はサービス並びにフィーチャのような既加入者情報を第１無線通信システム１０ａからコピー又は提供し、既加入者をステップ５０で示されるように第２無線通信システム１０ｂへ移行する。サービス・プロバイダは非ＣＤＭＡ加入者情報のような全ての既加入者データをデータベース又は他の格納ロケーションにコピーし、既加入者データをＣＤＭＡ加入者データのような、第２無線通信システム１０ｂに適切な形態に変換することが出来る。第１無線標準を使用している第１無線通信システム１０ａに対するデータベースは、既加入者情報の少なくとも一部のコピーを、第２無線標準を使用している第２無線通信システム１０ｂに対する顧客登録サービス・センタ３８内のデータベース又は移行データベースへ転送することが出来る。第１無線通信システム１０ａに対する既加入者情報は異なるロケーション、例えば第１無線通信システム１０ａのＨＬＲから及び／又は第１無線通信システム１０ａに対する加入者データベースから取得することが出来る。
【００１２】
サービス・プロバイダは移行されるべき各既加入者の秘匿コード、１つの識別番号及び／又は一組の識別番号を決定する。本実施例では、サービス・プロバイダは秘匿コードと電話番号（ＤＮ）のような識別番号とを提供する。秘匿コード及び識別番号は例えば第２無線通信システムに対する移行データベース中の対応する既加入者情報に関連付けられている。移行データベースは第２無線通信システム１０ｂに対するデータベースの一部であるか又はそれに統合されたものであることが出来る。移行データベースはまた、様々なロケーションへ分散することが出来る。そのようにして、、移行データベースは第２無線通信システム１０ｂに対する加入者移行システムへアクセスすることが出来、且つ、それが何らかの格納ロケーションであることが出来、第１無線通信システム１０ａとの既加入者の加入申し込みから作成又は抽出された秘匿コード、識別番号及び／又は加入者情報を保存するために使用することが出来る。
【００１３】
本実施例では、加入者移行システムによって既加入者情報が移行されるべき既加入者の秘匿コード及び識別番号を持つように構成された後、サービス・プロバイダから既加入者へ移行が通知される。そうすることにより、サービス・プロバイダから、移行されるべき既加入者へ加入者コードとしての秘匿コード及び識別番号が提供される。一実施例では、ステップ５２に示されるように、サービス・プロバイダは既加入者へ新しい無線装置にダイヤルして起動するための、移行処理、加入者コードとしての秘匿コード、ＤＮ及びサービス起動番号や顧客サービス番号の説明書を既加入者へ割り当てるために送出する。ＤＮは既加入者の電話番号、既加入者の追加桁付き電話番号、新しい電話番号或いは他の識別番号であることが出来る。他の実施例では、ＤＮは第１無線通信システム１０ａに対して提供され、新しいＤＮが第２無線通信システム１０ｂに対して提供される。
【００１４】
ステップ５４で、サービス・プロバイダの指示に応じて、加入者が、販売店即ち第２無線標準を使用している無線装置の認定されたディーラへ出向き、第２無線標準をサポートする無線装置を選択する。既加入者は第２無線標準を別の方法でサポートする無線装置を受け取ることが出来る。例えば、サービス・プロバイダは無線装置を既加入者へ送出することも出来る。新しい無線装置５５（図１参照）は既にプログラムされているＥＳＮを有する。本実施例に依り、新しい無線装置は既にプログラムされているＩＭＳＩか又は起動処理によって更新される仮ＩＭＳＩを有することが出来る。あるいは、この時点ではＩＭＳＩが無線装置にプログラムされていないこともある。
【００１５】
ステップ５６で、既加入者はＣＤＭＡ無線装置のような新しい無線装置５５（図１参照）を使用してサービス起動電話番号をダイヤルし、空間伝播サービス供与（over the air service provisioning；ＯＴＡＳＰ）又はサービス起動処理を開始する。ステップ５８で、ビジターＭＳＣ２４により呼が顧客登録サービス・センタ３８へ転送される。そうするために、新しい無線装置５５は該新しい無線装置５５（図１参照）にプログラムされているＥＳＮ（及び／又は本実施例によるＩＭＳＩ）を使用してＭＳＣ２０又は２４への登録を行う。新しい無線装置５５はホームＭＳＣ２０の地域１４内又はビジターＭＳＣ２４の地域１６内に有るように示されている。本実施例では、新しい無線装置５５（図１参照）を用いて顧客登録サービス・センタ３８への音声回線を設定するために、当業者に明らかな如く該音声回線は信号通信網３２即ち無線インテリジェント・ネットワークを使用している顧客登録サービス・センタ３８へＰＳＴＮ２８（図１参照）を介して設定される。本実施例の移行／起動システムによれば、顧客登録サービス・センタ３８への音声回線はホームＭＳＣ２０及び／又はビジターＭＳＣ２４を介して設定することが出来る。
【００１６】
一旦顧客登録サービス・センタ３８との接続が設定されると、起動処理が開始される。本実施例では、ステップ６０で自動サービス起動手順が実行されるべきか否かの判定が為される。起動処理は、この判定を既加入者へオペレータへの口述によらない自動起動を好むか、或いはオペレータへの口述を好むかを尋ねることによって行うことが出来る。もし自動起動が選択された場合は、ステップ６２で起動処理は加入者に加入者コードとしての秘匿コード及びＤＮを入力するように要請する。ステップ６４で加入者は加入者コードとしての秘匿コード及びＤＮを入力する。もし自動プロセスが使用されない場合は、ステップ６６で顧客登録サービス・センタ３８のオペレータが加入者へ秘匿コード及びＤＮを入力するように要請し、ステップ６４で加入者が秘匿コード及びＤＮを移行処理に入力する。幾つかの実施例では、既加入者が移行されるための自動起動が唯一の選択肢であることが出来る。
【００１７】
秘匿コード及びＤＮが加入者移行システムへ入力された後、ステップ７０で加入者移行システムは加入者によって入力された秘匿コード及びＤＮが移行データベースに保存されている適切な秘匿コード／ＤＮの対と一致するかどうかを判定する。もし一致すれば、ステップ７２で新しい無線装置の、ＥＳＮ及び／又はＩＭＳＩのような、顧客装置の情報特性が第１無線通信システム１０ａとの加入申し込みからの既加入者情報及び／又はＤＮにリンクされる。例えば、ＥＳＮ及び／又はＩＭＳＩは第１無線通信システム１０ａの既加入者情報から取得された加入者情報と関連する適切な記録領域に挿入することが出来る。既加入者情報は移行データベースに保存され、続いて、ＥＳＮ及び／又はＩＭＳＩとのリンク後に第２無線通信システムのデータベース及び／又は、ＨＬＲ及び／又はＡＣに対するＭＳＣへの転送が可能になる。或いは、既加入者情報と無線装置情報とのリンクは加入者データベースで実行され、続いて、移行された加入者と関連するデータベースのコンテンツがＭＳＣへ提供された後か、その前、又はそれと同時に、適切なＨＬＲ及び／又はＡＣに対するＭＳＣ、その他のデータベース又は格納ロケーションへ提供される。本実施例では、既加入者情報からの顧客プロファイルが既に新しい無線電話機に対する電話番号（ＤＮ）に関連付けられている。他の実施例では、例えばもし加入者移行システムで使用される移動体識別番号がＤＮではない場合、新しい無線装置に対するＤＮもまた加入者の顧客プロファイルに関連付けられる必要はない。従って、既加入者情報を使用することにより、顧客登録サービス・センタ３８との対話が削減されるので既加入者を第２無線通信システムへ容易に移行することが可能である。
【００１８】
移行／起動システムは、ＯＴＡＦ４０を使用して、新しい無線装置に公知のＯＴＡＳＰを使用している加入者に付与されているＤＮをプログラムしなければならない。もし無線装置５５（図１参照）のＩＭＳＩが更新される必要が有る場合は、ＯＴＡＳＰプロトコルを使用して新しいＩＭＳＩを新しい無線装置５５にプログラムすることが出来る。新しい無線装置５５が無線通信システム内で第２無線標準を使用して起動されるためには、移行／起動システムが、新しい無線装置５５に付与されているＤＮに基づいて適切な加入者プロファイルをＨＬＲ、例えばホームＭＳＣ２０を介してＨＬＲ３４へ送出する。この特定の無線通信システム又は実施例により、適切な加入者プロファイル或いはその一部が、新しい無線装置を起動するためにスタンド・アロンＨＬＲ（SHLR）、ＡＣ、セントラル・データベース及び／又は第２無線通信システムの全体に渡って分散されているデータベースのような、異なるデータベースへ送出されるようにすることが出来る。既加入者情報又は顧客プロファイルの異なる部分又は形態が異なる格納ロケーション又はシステム・ロケーションへ送出されることが可能である。移行／起動処理が完遂された後、新しい無線装置は第２無線通信システムの加入者によって使用されることが出来る。もし第２無線通信システム１０ｂに対して使用されたＤＮが第１無線通信システム１０ａに対して使用されたＤＮと同じである場合は、旧無線装置が停止される。もし第２無線通信システム１０ｂに対するＤＮが相違するか或いは他の理由のために望ましい場合は、第２無線通信システム１０ｂ及び／又は加入者移行システムは加入者情報を第１無線通信システム１０ａへ送出したり、或いは第２無線通信システム１０ｂへの既加入者の移行に基づいて第１無線通信システム１０ａへの変更を開始する。例えば、第１無線通信システム１０ａに対するＤＮへの呼が第２無線通信システム１０ｂ上の新しい無線装置へ送出されるようにすることが出来る。或いは、第１無線通信システム１０ａが、第１無線通信システム１０ａの旧ＤＮへ電話を掛けている相手方へ、第２無線通信システム１０ｂ上の被呼者の新しいＤＮを知らせることが出来る。
【００１９】
上記実施例のほかに、本発明の原理による加入者移行システムの別の構成は、構成要素を削除及び／又は付加すること、及び／又は、上述のシステムの変形又は一部を使用することが可能である。The第１及び第２無線通信システムs１０ａ，１０ｂ間及びそれら個々の中で既加入者情報を転送、コピー、保存及び／又は送出する方法は特定用途に依存する。例えば、既加入者情報は様々な方法で様々なロケーションに保存することが可能であり、一旦既加入者情報が既加入者を新しい無線通信システムへ移行するために転送されると、情報が様々な方法で新しい無線通信システムに保存され、操作（mnipulate）され、拡張（augment）され、且つ、展開（deploy）される。実施例によっては、加入者移行システム及び相互に移行される第１及び第２の通信ステムの構成要素を付加、移動、変更又は削除することが可能である。例えば、加入者移行システムは既加入者を第１無線標準に基づく第１無線通信システムから第２無線標準に基づく第２無線通信システムへ移行するように記述されているが、その移行は第１無線通信システムを改良及び／又は改変するために適用することが出来、それにより新しい無線装置を使用する第２無線通信システムが創出される。移行処理は、移行された無線通信システム及び／又は移行されつつある無線通信システムの全体に渡って異なるロケーションに分散することが出来、それらの内の単一ロケーションでその処理が行われたり行われなかったりする。更に、新しい無線装置を移行及び起動するために、移行処理は既加入者情報を第１無線通信システムのＨＬＲ及び／又はデータベースから第２無線通信システムのＨＬＲ、移行データベース,加入者データベース及び／又はその他のデータベースへ直接転送及び／又は改変することが出来る。
【００２０】
【発明の効果】
以上説明したように、本発明は、新しい無線通信システムへの既加入者の移行を取り扱うのに必要なオペレータの人数を削減することが出来、新しい無線装置に対する起動手順が短時間で行われ、更に、サービス・プロバイダは、例えば職員及び訓練の増加によるコスト増に曝されることが無く、第１無線通信システムに対する既加入者の第２無線通信システムへ移行することが出来る効果が有る。
【００２１】
なお、当業者に明らかなように、本発明によれば、新しい無線装置に関連付けられた様々な形態及び種類の秘匿コード及び情報を、移行処理で既加入者情報とリンク又は関連付けるために使用することが出来る。例えば、秘匿暗号化及び／又は認証キーがＨＬＲ３４及び／又はＡＣ３５の第２無線装置と関連付けられる必要が有るであろう。更に、第１無線通信システムに保存された既加入者情報の全てが新しい無線通信システムへの転送に使用される必要が有るとは限らない。更に、既加入者情報は、新加入者情報が既加入者情報から抽出される限りにおいて、加入者移行システム及び／又は新しい無線通信システムへ異なる形態で改変または付与される。更に、加入者移行システムは特定の構成の機能要素を使用して記述されているが、加入者移行システムは様々な構成で実行され、且つ、その一部が本発明の利点と共に当業者に明らかなように、特定用途向け集積回路、ソフトウエア駆動処理回路、ファームウエア又は他の構成の個別的構成要素で実行可能であることが理解されるべきである。
【００２２】
なお、特許請求の範囲に記載した参照符号は発明の理解を容易にするためのものであり、特許請求の範囲を制限するように理解されるべきものではない。
【図面の簡単な説明】
【図１】  無線通信システムの全体を示す図である。
【図２】  本発明の原理による顧客移行システムの実施例の前半部分を示すフローチャートである。
【図３】  本発明の原理による顧客移行システムの実施例の後半部分を示すフローチャートである。
【符号の説明】
１０  無線通信システム
１０ａ  第１無線通信システム
１０ｂ  第２無線通信システム
１２ａ  １２ｂ  １２ｃ  無線装置
１４  地域
１６  地域
２０  ホームＭＳＣ
２２ａ  ２２ｂ  ２２ｃ  ２２ｄ  ２２ｅ  基地局
２４  ビジターＭＳＣ
２５  有線装置
２６ａ  ２６ｂ  ２６ｃ  ２６ｄ  ２６ｅ  基地局
２８  公衆交換電話網（ＰＳＴＮ）
３２  信号通信網
３４  データベース（ＨＬＲ）
３５  認証センタ （AC）
３６  データベース（ＶＬＲ）
３８  顧客登録サービス・センタ
４０  空間伝播機能（ＯＴＡＦ）
５５  新しい無線装置
【図１】
0003971080.tif 000002
【図２】
0003971080.tif 000003
【図３】
0003971080.tif 000004